(57)【要約】  ＥＵＶマイクロリソグラフィのための投影照明装置（１）は、ＥＵＶ使用光（３）を発生させるためのＥＵＶシンクロトロン光源（２）を有する。物体視野（１４）は、照明光学系（５）を用いて使用光（３）によって照明される。物体視野（１４）は、投影光学系（１６）を用いて像視野（１７）内にマップされる。使用光（３）を投影照明周期と同期して偏向することによって物体視野（１４）を照明するために、走査デバイス（６）が用いられる。結果は、ＥＵＶ投影照明に向けてＥＵＶシンクロトロン光源からの出力電力を可能な限り効率的に用いることができる投影照明装置である。【選択図】図１
2011517072.tif 000002
【特許請求の範囲】
【請求項１】
ＥＵＶ使用光（３）を生成するためのＥＵＶ光源（２）を有し、
前記使用光（３）を用いて物体視野（１４）を照明するための照明光学系（５）を有し、
前記物体視野（１４）を像視野（１７）内にマップするための投影光学系（１６）を有する、
ＥＵＶマイクロリソグラフィのための投影照明装置（１）であって、
使用光（３）を投影照明周期と同期して偏向させることによって物体視野（１４）を照明するための走査デバイス（６）、
を特徴とする装置。
【請求項２】
前記照明光学系（５）は、前記物体視野（１４）に対する照明角度分布を規定するための複数の瞳ファセットを有する少なくとも１つの瞳ファセットミラー（９）を有することを特徴とする請求項１に記載の投影照明装置。
【請求項３】
前記照明光学系（５）は、前記照明される物体視野（１４）に対する形状を規定するための複数の視野ファセットを有する少なくとも１つの視野ファセットミラー（７）を有することを特徴とする請求項１又は請求項２に記載の投影照明装置。
【請求項４】
用いられる前記ＥＵＶ光源（２）は、シンクロトロン放射線ベースの光源、特に、自由電子レーザであることを特徴とする請求項１から請求項３のいずれか１項に記載の投影照明装置。
【請求項５】
前記走査デバイス（６）は、単一ミラー面（２１）を有する少なくとも１つの作動的傾斜可能ミラーを有することを特徴とする請求項１から請求項４のいずれか１項に記載の投影照明装置。
【請求項６】
前記走査デバイスは、少なくとも１つの多角形ミラー（２２）を有することを特徴とする請求項１から請求項５のいずれか１項に記載の投影照明装置。
【請求項７】
前記走査デバイス（６）は、少なくとも１つのミラー（３９）を有し、これは、前後に平行移動的に移動させることができ、かつ互いに対して傾斜するように配置された少なくとも２つの反射面（４０）を有することを特徴とする請求項１から請求項６のいずれか１項に記載の投影照明装置。
【請求項８】
前記使用光（３）のための強度変調器（４１）を特徴とする請求項１から請求項７のいずれか１項に記載の投影照明装置。
【請求項９】
前記強度変調器（４１）は、前記走査デバイス（６）による前記偏向と同期して前記使用光（３）の強度に影響を与えることを特徴とする請求項８に記載の投影照明装置。
【請求項１０】
前記強度変調器（４１）は、前記使用光（３）の前記強度が単一視野ファセット（８）にわたる掃引中に影響を受けるように作動されることを特徴とする請求項８又は請求項９に記載の投影照明装置。
【請求項１１】
前記強度変調器（４１）は、前記使用光（３）の前記強度が前記瞳ファセットミラー上の掃引と同期して影響を受けるように作動されることを特徴とする請求項９又は請求項１０に記載の投影照明装置。
【請求項１２】
前記走査デバイス（６）は、前記使用光（３）の前記偏向の偏向速度が同期方式で変更されるように作動されることを特徴とする請求項１から請求項１１のいずれか１項に記載の投影照明装置。
【請求項１３】
前記走査デバイス（６）を用いて照明される複数の物体視野を特徴とする請求項１から請求項１２のいずれか１項に記載の投影照明装置。
【請求項１４】
それぞれ関連付けられた物体視野、投影光学系、及び像視野を有する複数の瞳ファセットミラー（３１から３６）を特徴とする請求項１３に記載の投影照明装置。
【請求項１５】
前記複数の瞳ファセットミラー（３１から３６）は、１つのかつ同じ視野ファセットミラー（２４）によって照明されることを特徴とする請求項１４に記載の投影照明装置。
【請求項１６】
前記走査デバイス（２２，６）によって交互に照明される複数の視野ファセットミラーを特徴とする請求項２から請求項１５のいずれか１項に記載の投影照明装置。
【請求項１７】
前記視野ファセットミラー（７）は、視野ファセット（８）の行向き及び列向きアレイを有することを特徴とする請求項２から請求項１６のいずれか１項に記載の投影照明装置。
【請求項１８】
前記走査デバイスは、２自由度によって作動的傾斜可能な視野成形ミラーを有することを特徴とする請求項１から請求項１６のいずれか１項に記載の投影照明装置。
【発明の詳細な説明】
【技術分野】
【０００１】
本発明は、請求項１の前文に記載のＥＵＶマイクロリソグラフィのための投影照明装置に関する。
【背景技術】
【０００２】
この種の投影光学装置は、ＵＳ６，８５９，５１５Ｂ２及びＵＳ５，４３９，７８１から公知である。ＥＵＶマイクロリソグラフィのための更に別の投影光学装置は、ＵＳ２００７／０１５２１７１Ａ１から公知である。
【先行技術文献】
【特許文献】
【０００３】
【特許文献１】ＵＳ６，８５９，５１５Ｂ２
【特許文献２】ＵＳ５，４３９，７８１
【特許文献３】ＵＳ２００７／０１５２１７１Ａ１
【非特許文献】
【０００４】
【非特許文献１】Ｐａｇａｎｉ他、「Ｎｕｃｌ．Ｉｎｓｔｒ．＆Ｍｅｔｈｏｄｓ」、Ａ４６３、（２００１年）、９ページ
【非特許文献２】Ａｃｋｅｒｍａｎｎ他、「Ｎａｔｕｒｅ  ｐｈｏｔｏｎｉｃｓ」、第１巻、（２００７年）、３３６ページ
【非特許文献３】「極紫外線リソグラフィ」（ＥＵＶＬ）Ｓｙｍｐｏｓｉｕｍ．Ｉｎｔｅｒｎａｔｉｏｎａｌ．５、ＣＨ２００６（全４巻）、「Ｃｕｒｒａｎ  Ａｓｓｏｃｉａｔｅｓ、ＩＮＣ．」刊、２００７年４月
【非特許文献４】Ｓａｌｄｉｎ他、Ｈａｊｉｍａ他、及びＧｏｌｄｓｔｅｉｎ、国際組織ＳｅｍａｔｅｃｈのＥＵＶＬシンポジウムのためのＥＵＶＬ光源研究集会、２００６年１０月
【非特許文献５】ＥＵＶＬ光源研究会会報、ｈｔｔｐ：／／ｗｗｗ．ｓｅｍａｔｅｃｈ．ｏｒｇ／ｍｅｅｔｉｎｇｓ／ａｒｃｈｉｖｅｓ／ｌｉｔｈｏ／ｅｕｖ／７８５５／
【非特許文献６】ＦＥＬ設計、ｈｔｔｐ：／／ａｒｘｉｖ．ｏｒｇ／ＰＳ＿ｃａｃｈｅ／ｐｈｙｓｉｃｓ／ｐｄｆ／０６１２／０６１２１２５ｖｌ．ｐｄｆ
【非特許文献７】Ｆ．Ｇｒｕｎｅｒ他著「卓上のレーザベースのＶＵＶ及びＸ線自由電子レーザのための設計の考察」
【発明の概要】
【発明が解決しようとする課題】
【０００５】
本発明の目的は、ＥＵＶ光源の出力電力をＥＵＶ投影照明に対して可能な限り効率的に用いることができるような冒頭に記載した種類の投影照明装置を開発することである。
【課題を解決するための手段】
【０００６】
本発明は、請求項１に明記する特徴を有する投影照明装置を用いて上述の目的を達成する。
本発明により、投影照明と同期して視野ファセットミラーを照明するための走査デバイスは、通常は損失が伴うＥＵＶ光源における多くの場合に小さい発散角を拡幅する必要なく投影照明装置の照明光学系を用いる可能性をもたらすことが認められた。照明光学系における開口数は、走査デバイスを用いて全てを一度にではなく、例えば、行毎の走査を用いて逐次満たされる。通常、多くのＥＵＶ光源は、そのような照明光学系の連続走査照明がマッピング品質に対する制限を生じない程の高い繰返し数を有することが認められている。物体視野全体が規定の照明強度で照明された時には、投影照明周期が経過している。
【０００７】
請求項２及び請求項３に記載のファセットミラーは、所定の物体視野照明を与えるのに特に適することが見出されている。ファセットミラーは、走査デバイスによって照明することができる。代替的に、ファセットミラーは、走査デバイス自体の一部とすることもできる。
請求項４に記載のシンクロトロン放射線ベースのＥＵＶ光源、及び特に自由電子レーザ（ＦＥＬ）は、特に高いビーム輝度を有する。ＦＥＬの代替形態として、ウィグラー又はアンジュレーターを用いることができる。通常、シンクロトロン放射線ベースのＥＵＶ光源は小さい発散角を有し、この発散角は、走査デバイスによって有利に拡大することができる。通常、シンクロトロン放射線ベースのＥＵＶ光源は、極めて高い繰返し数を有し、それによって本発明による走査デバイスとの有利な組合せが可能になる。
一例として、請求項５から請求項７に記載の走査デバイスは、レーザＲＧＢディスプレイ又はレーザテレビジョンセットの開発との関連で公知であり、最も高い偏向周波数を必要とする時でさえも、ビーム偏向において有効であることが証明されている。
【０００８】
請求項８又は請求項９に記載の強度変調器は、走査作動中に特定の強度変動を発生させるのに用いることができる。これは、特に、補正目的に用いることができる。
請求項１０に記載の強度変調器は、特に、物体視野上での使用光に対して強度分布に影響を与えるか又は補正するのに用いることができる。視野ファセットミラーの全ての視野ファセットが、同じ強度分布が印加された使用光を有する場合には、それによって物体視野にわたって対応する強度分布が生じる。
【０００９】
請求項１１に記載の強度変調器は、特に、物体視野にわたる照明角度分布に影響を与えるか又は補正するのに用いることができる。この場合、同期化は、瞳ファセットが、瞳ファセットミラーにわたる同期掃引に向けて印加される同じ強度分布を常に有するようなものとすることができる。それによって時間と共に変化しない規定の照明角度分布を得ることが可能になる。代替的に、瞳ファセットミラーにわたる強度分布は、連続走査に対して変更することができる。これは、照明角度分布を時間と共に変化させる。
【００１０】
請求項１２に記載の走査デバイスは、強度変調器と類似の作用を有することができる。そのような走査デバイスは、特に、視野ファセットミラー及び／又は瞳ファセットミラーのファセットの損失のない強度変調を得ることを可能にする。この場合、比較的高い偏向速度で掃引される領域は、比較的低い偏向速度で掃引される領域よりも低い強度印加を受ける。
請求項１３から請求項１５に記載の配列は、ＥＵＶシンクロトロン光源の平均電力全体の効率的な利用を可能にする。
対応する状況が、請求項１６に記載の配列に当て嵌まる。
【００１１】
請求項１７に記載の視野ファセットミラーは、走査デバイスを用いてほとんど複雑さなしに作動させることができる。行と列の配列は、個々の視野ファセットが矩形であることを必ずしも必要としない。視野ファセットにおける別の縁部形状、例えば、弓形縁部、特に、部分リング形縁部も可能である。
単一ファセットの形態とすることができる請求項１８に記載の視野成形ミラーは、多重ファセット設計を不要にする。
図面を参照して本発明の例示的な実施形態を以下により詳細に説明する。
【図面の簡単な説明】
【００１２】
【図１】マイクロリソグラフィのための投影照明装置を通した子午断面を照明光学系に関連して略示する図である。
【図２】投影照明装置内で照明光学系の上流に配置された走査デバイスの構成要素の大幅に概略的な図である。
【図３】照明光学系内の視野ファセットミラーの視野ファセットアレイに関する設計の概略図である。
【図４】１つの同じ視野ファセットミラーを有する照明光学系内の瞳ファセットミラーの複数の瞳ファセットアレイの照明を示す概略図である。
【発明を実施するための形態】
【００１３】
マイクロリソグラフィのための投影照明装置１は、微細構成化電子半導体構成要素又はナノ構成化電子半導体構成要を製造するのに用いられる。光源２は、例えば、５ｎｍと３０ｎｍの間の波長範囲のＥＵＶ放射線を放出する。光源２は、自由電子レーザ（ＦＥＬ）の形態にある。この自由電子レーザ（ＦＥＬ）は、非常に高い輝度でコヒーレントな放射線を発生させるシンクロトロン放射線源である。そのようなＦＥＬは、Ｐａｇａｎｉ他、「Ｎｕｃｌ．Ｉｎｓｔｒ．＆Ｍｅｔｈｏｄｓ」、Ａ４６３、（２００１年）、９ページ、及びＡｃｋｅｒｍａｎｎ他、「Ｎａｔｕｒｅ  ｐｈｏｔｏｎｉｃｓ」、第１巻、（２００７年）、３３６ページから当業者には公知である。この種の大きいＦＥＬ装置のＥＵＶリソグラフィ要件へのカスタマイズは、国際組織Ｓｅｍａｔｅｃｈの２００６年１０月のＥＵＶＬシンポジウムに対するＥＵＶＬ光源研究集会において（２００７年４月に「Ｃｕｒｒａｎ  Ａｓｓｏｃｉａｔｅｓ、ＩＮＣ．」によって発刊された「極紫外線リソグラフィ」（ＥＵＶＬ）Ｓｙｍｐｏｓｉｕｍ．Ｉｎｔｅｒｎａｔｉｏｎａｌ．５、ＣＨ２００６（全４巻）を参照されたい）、特に、Ｓａｌｄｉｎ他、Ｈａｊｉｍａ他、及びＧｏｌｄｓｔｅｉｎによる専門論文において当業者に呈示されている。このＥＵＶＬ光源研究会の会報は、インターネットアドレスｈｔｔｐ：／／ｗｗｗ．ｓｅｍａｔｅｃｈ．ｏｒｇ／ｍｅｅｔｉｎｇｓ／ａｒｃｈｉｖｅｓ／ｌｉｔｈｏ／ｅｕｖ／７８５５／に公開されている。光源２として適する小型のＦＥＬは、ＵＳ２００７／０１５２１７１Ａ１に説明されている。当業者は、光源２としてのＦＥＬの設計に関する更に別の考察をインターネットアドレスｈｔｔｐ：／／ａｒｘｉｖ．ｏｒｇ／ＰＳ＿ｃａｃｈｅ／ｐｈｙｓｉｃｓ／ｐｄｆ／０６１２／０６１２１２５ｖｌ．ｐｄｆに公開されているＦ．Ｇｒｕｎｅｒ他著の専門論文「卓上のレーザベースのＶＵＶ及びＸ線自由電子レーザのための設計の考察」から得ることができる。上述の従来技術の内容の全範囲が、本出願の一部であることになる。
【００１４】
光源２は、２．５ｋＷの平均電力を有する。光源２のパルス周波数は、３０ＭＨｚである。この場合、全ての単一放射線パルスは、８３μＪのエネルギを保持する。１００ｆｓの放射線パルス長を有する場合には、これは、８３３ＭＷの放射線パルス電力に対応する。
投影照明装置１内での照明及びマッピングに対して、使用放射線束３が用いられる。使用放射線束３は、更に説明することになる走査デバイス６を用いて、投影照明装置１の照明光学系５に適合する開口角４の範囲内で照明される。光源２から始まり、使用放射線束３は、５ｍｒａｄよりも小さい発散を有する。照明光学系５の中間焦点面６ａ内には、走査デバイス６が配置される。走査デバイス６の後ろでは、使用放射線束３は、最初に視野ファセットミラー７上に入射する。図２を参照して走査デバイス６に関する詳細を以下に説明する。
使用放射線束３は、特に、２ｍｒａｄよりも小さく、好ましくは、１ｍｒａｄよりも小さい発散を有する。視野ファセットミラー７上での使用放射線束のスポットサイズは、約４ｍｍである。
【００１５】
図３は、ファセット配列の例である視野ファセットミラー７の視野ファセット８における視野ファセットアレイを示している。実際に存在する視野ファセット８のうちの一部のみを示している。視野ファセットミラー７の視野ファセットアレイは、６個の列と７５個の行を有する。視野ファセット８は、矩形形状を有する。視野ファセット８のための他の形状、例えば、弓形形状、又は環状又は部分環状幾何学形状も可能である。全体として、視野ファセットミラー７は、４５０個の視野ファセット８を有する。各視野ファセット８は、図３の水平方向に５０ｍｍの広がりを有し、図３の垂直方向に４ｍｍの広がりを有する。従って、視野ファセットアレイ全体は、３００ｍｍ×３００ｍｍの広がりを有する。図３では、視野ファセット８を正確な縮尺で示していない。
【００１６】
視野ファセットミラー７における反射に続き、個々の視野ファセット８に関連付けられたペンシルビームに分割された使用放射線束３は、瞳ファセットミラー９上に入射する。図１には示していない瞳ファセットミラー９の瞳ファセットは円形である。視野ファセット８のうちの１つによって反射された使用放射線束３の各ペンシルビームは、これらの瞳ファセットのうちで関連付けられた１つを有し、それによって入射を受けるそれぞれのファセット対は、視野ファセット８のうちの１つと瞳ファセットのうちの１つとにより、使用放射線束３の関連付けられたペンシルビームのためのビーム誘導チャンネルを規定する。瞳ファセットの視野ファセット８とのチャンネル毎の関連付けは、投影照明装置１による望ましい照明に基づいて行われる。それぞれの規定の瞳ファセットを作動させる目的で、視野ファセットミラー８は、各々個々に傾斜される。
【００１７】
瞳ファセットミラー９、及びその下流の３つのＥＵＶミラー１０，１１，１２を含む伝達光学系１３は、視野ファセット８を投影照明装置１内の投影光学系１６の物体平面１５内の物体視野１４へとマップするのに用いられる。ＥＵＶミラー１２は、かすめ入射ミラーの形態にある。
図示していない照明光学系５の実施形態では、特に、投影光学系１６の入射瞳が適切な位置にある場合に、ミラー１０，１１，及び１２を不要にすることができ、それによって投影照明装置内で使用放射線束３に対する対応した伝達率の増大が生じる。
視野ファセット８の長辺は、走査方向ｙに対して直角にある。視野ファセット８のアスペクト比は、同様に矩形又は弓形形状にあるとすることができるスロット形の物体視野１４のアスペクト比に対応する。
【００１８】
物体視野１４全体は、視野ファセットミラー７の完全な走査毎に２４．６Ｊの全照射量を受ける。更に、この全照射量には、一方で照明光学系５の全伝達率と、他方で投影光学系１６の全伝達率とを乗じなければならない。
物体視野１４の領域内にある物体平面１５は、使用放射線束３を反射する図１には示していないレチクルを含む。
投影光学系１６は、物体視野１４を像平面１８内の像視野１７へとマップする。投影照明では、この像平面１８は、投影照明中に投影照明装置１を用いて照明される感光層を保持する図示していないウェーハを含む。
【００１９】
位置関係の例示を容易にするために、以下ではｘｙｚ座標系を用いる。ｘ軸は、図１の作図面に対して垂直に作図面に向いている。ｙ軸は、図１の右に延びている。ｚ軸は図１の下方に延びている。
投影照明中には、レチクル及びウェーハの両方が図１のｙ方向に同期して走査される。ウェーハは、投影照明中に、典型的に２００ｍｍ／ｓの走査速度でｙ方向に走査される。
【００２０】
図２は、使用放射線束３に対する走査デバイス６をより詳細に示している。図２では、位置関係の例示を容易にするためにｘ’−ｙ’座標系を用いる。図２では、ｘ軸に対して平行なｘ’軸は、右に延びている。図２では、ｙｚ平面に位置するｙ’軸は、上方に延びている。
走査デバイス６は、使用放射線束３を掃引方式で反射し、ｘ’軸に対して平行な行送り軸１９の回りに、かつこの行送り軸に対して直角な列走査軸２０の回りに傾斜させることができる走査ミラーである。両方の軸１９、２０が、走査デバイス６の反射ミラー面２１内に置かれる。図２では、行送り軸１９は、ｘ’軸に対して平行である。図２では、列走査軸２０は、ｙ’軸に対して平行である。
【００２１】
図２は、視野ファセットミラー７を各々が４つの視野ファセット８から成る４つの水平行を有する４×４のアレイとして略示している。以下の周波数及び時間のデータは、図３に関連して上述した６×７５のアレイを有する視野ファセットミラー７の照明に関する。列走査軸２０の回りの傾斜は、７．５ｋＨｚの行周波数において行われる。この場合、ミラー面２１は、約±４．５°傾斜され、それによって使用放射線束３に対する±９°の偏向角が生じる。従って、視野ファセットミラー７のそれぞれの行上での使用放射線束３の滞留時間は、１３３．３μｓである。行送りは、７５個の行が正しい行間隔を用いて走査されるような行送り軸１９の回りの傾斜と、使用放射線束３が、最後に走査される視野ファセット８ｚから、走査される最初の視野ファセット８ａに戻ることも保証する行送り軸１９の回りの傾斜との同期傾斜を用いて行われる。従って、ミラー面２１は、１００Ｈｚの周波数で行送り軸１９の回りに更に傾斜される。個々の視野ファセット８毎の滞留時間は、２２．２μｓである。従って、視野ファセット８上の滞留時間にわたって、６６０個のＥＵＶ放射線パルスが視野ファセット８上に入射する。
ミラー面２１と視野ファセットミラー７の間の間隔は、約１ｍである。
【００２２】
列走査軸２０の回りの傾斜の代わりに、行送りは、列走査軸２０の回りに回転する図示していない多角形スキャナを用いて発生させることができる。この多角形スキャナは、約±４．５°のミラー傾斜変化のための合計で４０個の多角形ファセットを有し、すなわち、その回転軸の回りで周方向にある正４０角形として設計される。７．５ｋＨｚの行周波数は、多角形スキャナにおける１８７．５Ｈｚの回転周波数を用いて得られる。走査デバイス６が、図示していない多角形ミラーを用いて設計された場合には、多角形ミラーは、その上流又は下流に配置された上述のように行送り軸１９の回りに傾斜させることができる傾斜ミラーを有する。
【００２３】
物体視野１４は、走査方向ｙと平行に２ｍｍのスロット幅を有し、走査方向に直角に、すなわち、ｘ方向に２６ｍｍのスロット幅を有する。レチクル上の２４．６Ｊの照射量、及び投影光学系１６の０．３％の伝達率では、視野ファセットミラー７の完全な走査毎にウェーハ上で７４ｍＪの照射量が得られる。物体視野１４上の面関連照射量は、１５０ｍＪ／ｃｍ2である。ウェーハの感光層の１０〜２０ｍＪ／ｃｍ2の仮定感度では、光源２は、この種の感光層を照明するのに必要なものよりも７．５倍から１５倍多くの光を供給する。従って、原理的に、複数の物体視野１４を同時に照明するのに１つの同じ光源２を用いることができる。
【００２４】
複数の物体視野１４のそのような同時照明の第１の変形では、使用放射線束３は、光源２を離れた直後にｙｚ平面内で４５°の扇角２３だけ、図１に破線で示している多角形ミラー２２によって扇形に拡大される。このようにして拡大された使用放射線束３は、次に、各々が扇角全体の１／１０を受光する合計で１０個の照明光学系５にわたって配分される。この場合、使用放射線束３に対する１０個のビーム経路の各々は、上記に上述した方式で走査デバイス６を含む。
【００２５】
光源２が３０ＭＨｚの繰返し数を有する場合には、４５°の扇角２３の端から端まで合計で１０個の照明光学系５を用いるために使用放射線束３を扇形に拡大する段階は、８７．５ｋＨｚの回転周波数で回転する合計で１６個の均等に配分された多角形ファセットを有する多角形ミラー２２を必要とする。
複数の照明光学系５を用いることが意図される場合には、多角形スキャナ２２に対する要求は、例えば、視野ファセット８の合計数を１００個の視野ファセットに低減することによって低減される。
【００２６】
複数の物体視野１４を照明するための投影照明装置１の設計の更に別の変形は、１つの同じ視野ファセットミラー２４の使用を含み、この実施形態を図４に示す。視野ファセットミラー２４は、ファセットミラー区画２５，２６，２７，２８，２９，３０を有し、その配列は、それぞれ視野ファセットミラー７の配列に対応する。この場合、視野ファセットミラー２４は、各々が個々の視野ファセット８の７５個の行から成る合計で２４個の列を有する。各ファセットミラー区画２５から３０では、４５０個よりも少ない視野ファセット８を設けることができる。
【００２７】
ファセットミラー区画２５から３０の各々は、関連付けられた瞳ファセットミラー３１から３６を照明する。この照明は、それぞれのファセットミラー区画２５から３０の視野ファセットを適切に傾斜させることによって達成される。
ファセットミラー区画２５に関連付けられた瞳ファセットミラー３１は、円形領域内に完全に照明される。この照明は、照明光学系５の瞳が均一に満たされる従来照明環境として公知のものである。
ファセットミラー区画２６に関連付けられた瞳ファセットミラー３２は、環状に、すなわち、リング形方式で照明される。
【００２８】
ファセットミラー区画２７に関連付けられた瞳ファセットミラー３３は、瞳ファセットミラー３１と同様に照明され、４つの点を有する星３７から成る中央切除部が存在するという相違点を有する。この星形状に沿って、瞳ファセットミラー３３によって照明される物体視野１４は、照明方向を欠いている。
ファセットミラー区画２８に関連付けられた瞳ファセットミラー３４は、瞳ファセットミラー３２と同等の方式で環状に、すなわち、リング形方式で照明され、同じリング直径が与えられるとすれば、瞳ファセットミラー３４の照明におけるリング幅は、瞳ファセットミラー３２の照明におけるリング幅のマグニチュードの約半分である。
【００２９】
ファセットミラー区画２９に関連付けられた瞳ファセットミラー３５は、瞳ファセットミラー３３と同等の方式で照明され、瞳ファセットミラー３５は、合計で５つの点を有する星形領域３８から成る中央切除部を有し、すなわち、この領域は照明されない。
ファセットミラー区画３０に関連付けられた瞳ファセットミラー３６は、瞳ファセットミラー３１と同等の方式で照明されるが、より小さな照明直径を有し、それによって照明光学系５を用いて瞳ファセットミラー３６において得られる最大照明角度は、瞳ファセットミラー３１から３５における他の照明光学系５の最大照明角度と比較して小さい。
【００３０】
瞳ファセットミラー３１から３６に関連して上述した実施形態に加えて、他の実施形態、例えば、双極、四重極、又は他の多極形状の実施形態も可能である。
行送り、すなわち、視野ファセットミラー７の異なる行の間の変更は、図２の右下に示している視野ファセットミラー７の列に対して平行に変位したファセットミラー３９における反射を用いて代替的に達成することができる。
ファセットミラー３９の変位方向は、ｙ方向に対して平行である。使用放射線束３のファセットミラー３９のファセット４０のうちの１つの上での出現点によっては、使用放射線束３は、視野ファセットミラー７の別の行へと偏向される。図２は、５つのファセット４０を有するファセットミラー３９を示している。この図は、単純化したものである。図３に示しているファセットミラー７を照明するには、７５個のファセットを有するファセットミラー３９を必要とする。この場合、ファセットミラー３９に、ファセット凸状体の形状、特に、ファセット球面が設けられるように、７５のファセットを用いたこのファセットは、列走査軸２０の周囲の周方向のファセットと組み合わせることができる。ファセットの代わりに、十分に小さい使用放射線束３は、連続する外形を有するファセットミラー３９を製造することも可能にし、ファセット面は連続変移部を有し、ファセット面の間にいかなる鋭い縁部も持たない。これらの緩やかな変移部の間の平面区画は、鋭い縁部を有する実施形態におけるものと同じ法線ベクトルを有する。
【００３１】
投影照明装置１の更に別の変形では、光源２には、使用放射線束３の強度を変調するための強度変調器４１が装備される。強度変調器４１は、走査デバイス６への信号接続を有し、場合によっては同期の目的で多角形ミラー２２の作動への信号接続を有する。強度変調器４１は、視野ファセットミラー、例えば、視野ファセットミラー７の単一の視野ファセット８が掃引される間に、使用放射線束３の強度が影響を受けるように作動させることができる。この影響が、掃引される視野ファセットミラー７の全ての視野ファセット８の場合に同じ手法で達成される場合には、その結果は、物体視野１４内の照明の強度分布に対する対応する影響である。
【００３２】
代替的又は追加的に、強度変調器４１を用いた強度変調は、使用放射線束３の強度が瞳ファセットミラーの掃引と同期して影響を受けるように、走査デバイス６と、更に場合によっては多角形ミラーと同期して行うことができる。それによって物体視野１４にわたる照明角度分布の補正を提供することが可能になる。
視野ファセットミラー７にわたって掃引を行う際に、使用放射線束３の偏向の偏向速度を変更することにより、強度変調器４１を用いた強度変調に対応する効果を得ることができる。例示的に、各視野ファセット８の中心が視野ファセット８の右手及び左手の２つの縁部よりも迅速に掃引されるように、視野ファセットミラー７が、変化する偏向速度で走査される場合には、その結果として使用放射線束３は物体視野１４に印加され、縁部と比較して中心に低い強度で印加される。
一例として、光源２の強度変調は、放射線パルスを遮断することにより、レーザ機能を乱すことにより、例えば、特定的に共振器を離調することにより、及び／又はレーザ周波数を変調することによって可能である。
【００３３】
放射線パルスは、Ｑスイッチを作動させるか、又は共振器の内側又は共振器の外側に配置された電気光学的又は音響光学的な変調器又は偏向器（ＥＯＭ、ＡＯＭ）によって遮断することができる。レーザ機能は、例えば、付加的に接続した電磁場によって変動させることができる。ＥＵＶ使用放射線における波長は、例えば、逆コンプトン効果を用いた相対論的電子ビームにおけるその後の散乱によって離調することができる。この離調では、電子の一部分をＦＥＬから再利用することができる。ＥＵＶ使用放射線の波長の離調は、照明光学系５のミラー要素上のＥＵＶ反射コーティングにおける帯域幅よりも大きくなければならない。そのような反射コーティングは、多層コーティングの形態にあるとすることができる。
【００３４】
光源２のパルス作動は、最初に物体視野１４にわたる強度分布、次に照明角度分布の特定的な規定を可能にする。
物体視野１４内の各視野点は、それに関連付けられた個々の視野ファセット８上に近似的に共役な点を有する。使用放射線束３の放射線パルスが、それらがそうでなければ特定の視野点に関連付けられたこれらのファセット点に印加される度に抑制される限り、関連の視野点において照明強度に影響を与えることができる。物体視野１４の重ね合わせ照明に向けてＮ個の視野ファセット８が用いられている場合には、視野ファセット８のうちの１つのファセット点における照明を抑制することによって１／Ｎの相対精度で補正を提供することができる。
【００３５】
物体視野１４上の所定の点に対して、瞳ファセットミラー９を通じて視野ファセット８のうちの１つに関連付けられた各照明チャンネルは、特定の照明角度に対応する。従って、この種の照明チャンネル全体が抑制されるような使用放射線束３の放射線パルスの強度変調は、物体視野１４にわたる照明角度分布に影響を与えることを可能にする。原理的に、複数の視野ファセットを有する視野ファセットミラーの代わりに、視野ファセットミラーを走査デバイス自体の一部として設けることができる。この場合、視野ファセットミラーは、２つの自由度を通じて作動的に傾斜可能な厳密に１つのファセットを有し、その結果、例えば瞳ファセットミラーの瞳ファセット又は物体視野を同様に直接照明する。
【符号の説明】
【００３６】
１  投影照明装置
２  ＥＵＶシンクロトロン光源
３  ＥＵＶ使用光
５  照明光学系
６  走査デバイス
１４  物体視野
１６  投影光学系
１７  像視野
【図１】
2011517072.tif 000003
【図２】
2011517072.tif 000004
【図３】
2011517072.tif 000005
【図４】
2011517072.tif 000006
【国際調査報告】
2011517072.tif 000007
2011517072.tif 000008
2011517072.tif 000009
2011517072.tif 000010
2011517072.tif 000011
2011517072.tif 000012